(57)【要約】本発明は、未処理の呼吸気の吸気口（５）と処理済の呼吸気の排気口（６）とを備えたハウジング（１）を含む呼吸気調和装置であって、前記ハウジング（１）は、受動加湿手段（７）および能動加湿手段を含み、前記能動加湿手段は、給水口（１３）と、供給された水の加熱装置と、実質的に非透水性かつ水蒸気透過性を有する膜（１２）と、熱交換要素（１４）とを含み、前記膜（１２）が、親水性膜（１２ａ）と、水蒸気透過性かつ非透水性の膜（１２ｂ）とに区分され、前記熱交換要素が、多孔金属板（１４）および／または発熱抵抗体を含む群から選択されることを特徴とする呼吸気調和装置に関する。さらに、本発明は、吸気開口を通して未処理の呼吸気を供給するステップと、受動加湿手段を通して前記供給された呼吸気を受動的に加湿するステップと、装置の能動加湿手段を通して前記呼吸気を能動的に加湿するステップとを含む呼吸気の調和方法に関する。
2005527304.tif 000002
【特許請求の範囲】
【請求項１】
未処理の呼吸気の吸気口と処理済の呼吸気の排気口とを備えたハウジングを含む呼吸気調和装置であって、前記ハウジングは、受動加湿手段および能動加湿手段を含み、前記能動加湿手段は、給水口と、供給された水の加熱装置と、実質的に非透水性かつ水蒸気透過性を有する膜と、熱交換要素とを含み、前記膜が、親水性膜と、水蒸気透過性かつ非透水性の膜とに区分され、前記熱交換要素が、多孔金属板および／または発熱抵抗体を含む群から選択されることを特徴とする呼吸気調和装置。
【請求項２】
前記受動加湿手段が前記吸気口と前記排気口の間に配置されている請求項１に記載の装置。
【請求項３】
前記受動加湿手段が加熱加湿交換器である請求項１または２に記載の装置。
【請求項４】
前記ハウジングが更に細菌フィルタを備える請求項１〜３のいずれか１項に記載の装置。
【請求項５】
前記加熱装置が前記ハウジングに着脱自在に配置されている請求項１〜４のいずれか１項に記載の装置。
【請求項６】
加熱装置と、実質的に非透水性および水蒸気透過性を有する前記膜との間に水の薄層を入れることができるように、前記給水口がハウジングに接続されている請求項１〜５のいずれか１項に記載の装置。
【請求項７】
底部（２）と、周壁（３）と、蓋体（４）とを有し、前記底部（２）は呼吸気の供給用の吸気開口（５）を備え、前記蓋体（４）は処理済の呼吸気のための排気開口（６）を備えるハウジング（１）を含み、
更に、前記吸気口（５）と前記排気口（６）との間の前記ハウジング（１）に配置される受動加湿手段（７）と、
加熱装置、給水口（１３）、並びに、親水性膜（１２ａ）と水蒸気透過性かつ非透水性の膜（１２ｂ）とに区分される実質的に非透水性と水蒸気透過性とを有する膜（１２）、および、多孔金属板（１４）および／または発熱抵抗体を含む群から選択される熱交換要素を含む加熱加湿発生手段を装着する第二開口（１０）と、
を含む請求項１〜６のいずれか１項に記載の装置。
【請求項８】
前記熱交換要素が多孔金属板（１４）である請求項１〜７のいずれか１項に記載の装置。
【請求項９】
膜（１２ｂ）が、非透水性かつ水蒸気透過性の材料からなり、親水性膜（１２ａ）と金属板（１４）との間に配置される請求項７または８に記載の装置。
【請求項１０】
前記加熱装置が構成部品（１５）を含み、そのフラット面（１７）が前記膜（１２）に向けられている請求項７〜９のいずれか１項に記載の装置。
【請求項１１】
前記膜（１２）のうちの一つが、構成部品（１５）のフラット面（１７）に置かれる親水性膜（１２ａ）である請求項１０に記載の装置。
【請求項１２】
前記構成部品（１５）が開口（１０）に装着される請求項１０または１１に記載の装置。
【請求項１３】
構成部品（１５）が、開口（１０）に装着するために密封Ｏリングおよび／または差込継手を有する請求項１０〜１２のいずれか１項に記載の装置。
【請求項１４】
構成部品（１５）がマイクロスイッチ（１６）を有する請求項１０〜１３のいずれか１項に記載の装置。
【請求項１５】
前記吸気および排気開口（５，６）が、管装着用の接続管（５ａ，６ａ）を有する請求項７〜１４のいずれか１項に記載の装置。
【請求項１６】
前記底部（２）が、更に吸気口（１８）を有する請求項７〜１５のいずれか１項に記載の装置。
【請求項１７】
前記吸気口（１８）が、ストッパー（１９）によって装着されている請求項１６に記載の装置。
【請求項１８】
前記底部（２）が更に前記ストッパー（１９）の保持装置（２０）を有する請求項１７に記載の装置。
【請求項１９】
前記ハウジング（１）が、前記周壁（３）を囲むグリップリング（８）およびフランジ（９）を有する請求項７〜１８のいずれか１項に記載の装置。
【請求項２０】
人工鼻としての、請求項１〜１９のいずれか１項に記載の装置の使用。
【請求項２１】
呼吸気の調和のための、請求項１〜１９のいずれか１項に記載の装置の使用。
【請求項２２】
呼吸装置における、請求項１〜１９のいずれか１項に記載の装置の使用。
【請求項２３】
請求項１〜１９のいずれか１項に記載の装置を空気の供給源に接続し、空気を前記装置に流すステップを含む呼吸気の調和方法。
【請求項２４】
吸気開口を通して未処理の呼吸気を供給するステップと、受動加湿手段を通して前記供給された呼吸気を受動的に加湿するステップと、請求項１〜１９のいずれか１項に記載の装置の能動加湿手段を通して前記呼吸気を能動的に加湿するステップとを含む呼吸気の調和方法。
【発明の詳細な説明】
【技術分野】
【０００１】
本発明は、呼吸気の調和装置に関し、特に、人工鼻に関するものである。
【背景技術】
【０００２】
生理状態においては、鼻は呼吸気の能動的加温および加湿をもたらす働きをする。しかし、患者が人工呼吸を受けている状況では、先端が気管に挿入されている可撓性チューブにより、鼻は分流されている。咳嗽刺激や粘膜の漏出といった好ましからざる影響を防ぐために、供給される呼吸気を処理する必要がある。このようなことが必要であるのは、通常この処理の役割を果たしている鼻や喉の粘膜が、このような状況では、もはやこの役割が果たせないからである。肺や鼻の通常の機能には不可欠な供給される呼吸気を湿らせたり温めたりする処理は、今日では通常、任意のフィルタ装置と加湿加熱装置とから構成される装置によって行っており、本明細書では、人工鼻とも呼ぶ。
【０００３】
人工鼻は、ＥＰ０４１３１２７にあるような技術で知られており、人工呼吸のための呼吸気加温加湿用装置が記載されており、その装置において、加熱および加湿は、独立型の受動加熱加湿交換器と能動加熱加湿交換器との組み合わせによって得られる。しかし、この装置は比較的複雑な設計となっている。ＷＯ９７/０７８４５では、温かい、湿った空気を患者に供給または戻したりする装置における、熱および湿度の損失を補償する装置を開示している。
【０００４】
本発明の主たる目的は、呼吸気の調和装置を提供することであり、そしてその装置は、前記呼吸気の加熱水準および湿度比率を、所望の水準に維持することができる。本発明の別の目的は、更に、前記呼吸気をろ過することができる呼吸気の調和装置を提供することである。更なる目的は、受動加湿機能および能動加湿機能を有する、一体型の装置である呼吸気の調和装置を提供することであり、そしてその装置は、非常に顕著な融通性を確保するために、配置された任意の位置で給気管に接続することが可能である。更にまた別の目的は、これまで、既存のすべての装置に設けられていたウォータートラップの設備が、もはや不要となるように、前記給気管における水分凝縮を防止することができる呼吸気の調和装置を提供することである。
【０００５】
発明の概要
本発明は、未処理の呼吸気の吸気口と、処理済の呼吸気の排気口とを備えるハウジングを含む呼吸気調和装置に関し、前記ハウジングには、前記呼吸気を受動的に加湿する受動加湿手段と、前記呼吸気を能動的に加湿する能動加湿手段とが備えられている。本発明の実施態様において、前記受動加湿手段は前記吸気口と前記排気口の間に配置される。
【０００６】
前記ハウジングの能動加湿手段は、給水口、供給された水の加熱装置、および加熱加湿発生手段を含んでもよい。本装置は、更に、前記加熱加湿発生手段が、実質的に非透水性および水蒸気透過性を有する膜、および所望の熱量を供給し、水の薄層を蒸発させることができる熱交換要素を含むことを特徴とする。
【０００７】
本発明の実施態様において、呼吸気調和装置は、未処理の呼吸気の吸気口と、処理済の呼吸気の排気口とを備えるハウジングを含み、前記ハウジングは、受動加湿手段と、能動加湿手段とを含み、前記能動加湿手段は、給水口と、供給された水の加熱装置と、実質的に非不透水性および水蒸気透過性を有する膜と、熱交換要素とを含み、前記膜が、親水性膜と、水蒸気透過性かつ非透水性膜とに区分され、および前記熱交換要素が多孔金属板および／または発熱抵抗体を含む群から選択されることによって特徴づけられる。
【０００８】
実施態様において、加熱装置は、本発明の装置のハウジングに着脱自在に配置される。給水口は、水の薄層が、加熱装置と加熱加湿発生手段の間に入ることができるように、ハウジングに接続されることが好ましい。前記能動加湿手段は、前記装置において、熱および湿度損失を補償するのに役立つ。薄層における水分蒸発は、例えば、毛管現象または重力による水の供給を可能にし、更に、加熱装置の温度調節により、適正な水蒸気の生成を確実なものにする。
【０００９】
本発明の実施態様において、前記加熱加湿発生手段は、空気の流れに垂直に設けることが好ましく、これにより、空気の流れを部分的に遮るものである。空気の流れに対して、膜および熱交換要素を垂直に配置してあるため、本装置は、装置を流れる空気を迅速かつ最適に調和するのを確実なものにしている。加熱装置と加熱加湿発生手段の間に供給される水への加熱装置の作用により生成する水蒸気で、空気はそれ自体十分に加湿される。
【００１０】
本発明の装置は、循環する空気の適正な湿度が、常に維持されることを保証するものであり、同時に前記空気の加温および任意のフィルタリングも行っている。更に、本発明の装置は、省スペースおよび取り扱い易さといった利点を提供する。確かに、大多数の先行技術装置は、貯水槽と水を蒸発させる加熱手段という形態の加湿装置および加温装置で構成されており、場合により蒸発手段を備えている。そのような部品の組み立ては面倒であり、そのような装置の交換又は清掃が必要な場合には不便さを生じる。更に、前記組み立てを、空気の供給源や患者に接続する場合には、あまりにも多くの吸気口、排気口および管類が含まれるため、間違い犯す恐れがある。本発明は、一つの装置にすべて組み込まれた、受動加湿ユニットおよび能動加湿ユニットを提供する。前記装置は、給気源に接続される少なくとも一つの吸気口と、患者に接続される少なくとも一つの排気口をもつという利点を有する。新規の装置を接続する方法はただ一つしかないので、混乱することはあり得ない。更に、本発明の装置は、ハウジングに着脱自在に配置される加熱装置を有しているという利点があり、これにより、加熱過程のよりよい制御性や、必要時に前記加熱装置の容易な取り外しおよび取り替えの実現性を備えている。
【００１１】
本発明を、更に詳細に開示する。そこで、下記に本発明の装置の好ましい実施態様を、詳細に開示する。説明は、実施例によってのみなされるが、発明を限定するものではない。参照番号は添付した図に対応している。
【００１２】
発明の詳細な説明
本発明は、呼吸気の調和に適する装置に関する。
【００１３】
本明細書で使用される用語「呼吸気」は、それを必要とする個体にとって適切な、あらゆる呼吸に適した気体、例えば、前記個体の肺に供給される標準的な空気などを示す。本明細書で使用される用語「個体」は、動物、好ましくは哺乳動物、更に好ましくは人間を指す。
【００１４】
本明細書で使用される用語「呼吸気の調和」および／または「呼吸気の処理」は、前記呼吸気の加湿／保湿および加温を指す。
【００１５】
前記装置の実施態様は、図１および図２に示される。前記装置は、好ましい実施態様において、円筒状であるハウジング１によって構成されている。ハウジングは、医療用に適する材料で作ることができる。ハウジングはプラスチック製であることが好ましい。
【００１６】
図２に示されるように、前記装置は、底部２と、周壁３と、蓋体４とを有するハウジング１を含み、前記底部２は、呼吸気の供給用の吸気開口５を備え、前記供給は、矢印２２で図示される。蓋体４は、排気開口６を備え、そこから矢印２３で図示される処理済の呼吸気が排出される。前記装置は、更に前記吸気口５と前記排気口６の間の前記ハウジング１に配置される受動加湿手段７と、加熱装置、給水口１３、および加熱加湿発生手段を装着するための第二開口１０とを含んでいる。適切な受動加湿手段は、ポリテトラフルオロエチレン（ＰＴＦＥ）などの、公知技術である任意の材料からも作製することができる。本発明の実施態様において、前記受動加湿手段７は、公知技術の任意の加熱加湿交換器（ＨＭＥ）であってもよい。それらはひだをつけた紙、又は吸湿性材料で更なる処理をした、スポンジのような材料、束状の中空繊維、若しくは多層状のＰＴＦＥから作製してもよい。好ましい実施態様において、前記受動加湿手段７は、ひだつき紙製の加熱加湿交換器を含んでいる。本発明の装置は、更に上記ハウジング１に、細菌フィルタを含んでいる。前記細菌フィルタは、公知技術である疎水性または静電性の材料から作製してもよい。図２のハウジング１は、接着剤で接着されるか、あるいは固定された数個の独立した構成部品から構成されるものとして図示されているが、本発明は、ひとつの型から形成されたハウジング１も含んでいる。
【００１７】
本発明の実施態様において、加熱加湿発生手段は、実質的な非透水性および水蒸気透過性を有する膜１２、および所望の熱量を確保する熱交換要素を含んでいる。
【００１８】
ハウジング１の底部２および蓋体４において、開口５および６が、接続管５ａおよび６ａを有し、それぞれには管が取り付けられるようになっている。前記開口５および６、そして対応する接続管５ａおよび６ａは、同一または異なる寸法であってもよい。前記装置を流れる流量の割合は、開口５と６ならびに／あるいは対応する接続管の位置や寸法を調整することにより調節してもよい。もし、装置の外への流量を減らす必要がある場合、開口６の寸法を小さくすることができる。装置を循環する空気の最良の調和状態を得るように、開口５および６の位置を調整してもよい。これに応じて、空気流の調和を最適にするように、開口１０の位置および寸法を調節することができる。
【００１９】
接続管５ａは、給気管に接続することができる。給気管については、図示されていない麻酔装置または図示されていない呼吸装置に接続される管の一部であると理解する必要がある。図２に示される好ましい実施態様において、前記接続管５ａは、使用に応じて、直径が異なる管類への適合が可能となる直径が異なる２つの円筒体で構成しても良い。接続管６ａは、患者に空気を供給する管類に接続することができる。供給される呼吸気の加温を助けるように、接続管を更に加熱してもよい。
【００２０】
更に、別の実施態様において、図２に示されるように、本発明による装置の底部２は、更に吸気口１８を有することができる。前記吸気口１８は閉じることができ、その場合は、ストッパー１９が取り付けられる。前記吸気口１８の利用の際には、ストッパー１９は、本発明の装置の底部２に位置する保持装置２０に収納することができる。
【００２１】
この吸気口１８は、本発明による装置を循環する空気をサンプリングするのに適している。前記吸気口１８を通して、本発明の装置は、空気監視および／または分析装置に接続してもよい。このオプションが使用されない場合は、ストッパー１９が吸気口１８を閉じることができる。吸気口１８が使用される場合は、ストッパーを保持装置２０に収納そして保持してもよい。
【００２２】
本発明の別の実施態様において、前記ハウジング１は、周壁３を囲むグリップリング８を有してもよい。前記グリップリング８は、前記壁に取り付けられ、前記壁３に存在するフランジ９で固定される。グリップリング８とフランジ９のいずれも、溝を形成する形をしている。前記グリップリングおよびフランジリングの存在によって、とりわけ容易にそして確実に、装置をつかむことができる。このことが、前記装置の取り替えあるいは清掃の際には、本発明の装置の取り扱い易さをもたらす。前記装置は、側面から確実につかむことができるので、滑ることは、実用上あり得ない。前記装置の取り付けおよび取り外しは、容易に行えるようになり、問題もなくなる。
【００２３】
本発明の装置は、更に、壁１１を備える第二開口１０をハウジング１が備えることを特徴をする。開口１０は、加熱装置の取り付けに適している。壁１１は、同心状に配置された二重壁であるように設計されることが好ましい。そのような設計は、発熱抵抗体が作動している際にはハウジングを冷却するのに役立ち、断熱手段としての役割を果たす。前記開口１０は、加熱加湿発生手段を備える。好ましい実施態様において、前記加熱加湿発生手段は、実質的に非透水性および水蒸気透過性を有する膜１２と、所望の熱量を確保する熱交換要素とを含んでいる。好ましい実施態様において、前記要素は多孔金属板１４である。
【００２４】
更に、給水口１３は、加熱装置と膜１２の間のハウジングに接続される。単なる毛管現象、拡散、能動揚水および／または重力によって、水を流すことができる。給水口１３は、更に、流量絞りを備えることができる。前記流量絞りは、３〜１５ ml／h、より好ましくは、１時間当たり６〜８ mlの流量の水を流すことが可能な寸法の毛管であってもよい。
【００２５】
本発明の実施態様によると、膜１２は、親水性膜１２ａと、水蒸気透過性かつ非透水性の膜１２ｂとに区分される。前記膜１２ｂは、非透水性かつ水蒸気透過性の材料からできており、親水性膜１２ａと金属板１４の間に配置されることが望ましい。膜１２ｂを使用することで、水蒸気のみが装置に入ることが可能であり、前記装置を通過する空気流による、水滴のエントレイメントは阻止される。前記膜１２ｂは、ＰＴＦＥのような、非透水性かつ水蒸気透過性を有する公知技術の任意の材料で作ることが可能である。例えば、前記膜１２ｂは、分散重合ＰＴＦＥであるゴアテックスで作ることが可能である。疎水性のＰＴＦＥは、水蒸気を通過させることができる細孔から、液体の水をはじくことが可能である。
【００２６】
図２に示されるように、前記加熱装置は、構成部品１５を含み、そのフラット面１７は、前記膜１２に向けられている。実施態様において、前記フラット面１７が熱を伝達し、構成部品１５のケーシングは熱的に遮断される。前記加熱装置は、ＰＴＣ型の自己調節性抵抗体であってもよい。図２には示されてはいないが、前記構成部品１５は、いずれかの都合のよい方法で、電源ケーブルを介して、電力源に接続される。前記構成部品１５は、前記電源ケーブルを差し込んだり、ＬＥＤ（発光ダイオード）表示器を差し込んだりするために、更に少なくとも２つの孔２１を有する。構成部品１５のフラット面１７は、少なくとも一つの横断する水路を備えることができる。上記構成部品１５は、更に、摺動移動あるいは圧力によって作動させることができるマイクロスイッチ１６を備えることができ、これにより、加熱装置のスイッチを入れる。
【００２７】
前記加熱装置は、本発明の装置のハウジングに統合することが可能であり、これにより一つの部品を形成し、全体として使い捨てにしてもよい。別の実施態様において、前記加熱装置は分離可能に前記ハウジングに取り付けることができ、取り外しや交換の容易さを備えており、更に本発明の装置を使い捨てる際は、加熱装置の再利用を可能としている。
【００２８】
ハウジング１は、開口１０の中への加熱装置の構成部品１５の装着により得られる、熱および湿度の損失を補償するための能動加湿装置を含んでいる。前記ハウジング中の親水性膜１２ａは、したがって、構成部品１５のフラット面１７に置かれる。
【００２９】
開口１０中の加熱装置の構成部品１５の装着が、公知の手段、例えば密封Ｏリング（図示せず）、および／または差込継手の使用により実現することが可能である。Ｏリングは、構成部品１５の壁の円形のくぼみに装着することが可能である。好ましい実施態様においては、装着は密封Ｏリングおよび差込継手により実現することが可能である。
【００３０】
患者に供給されるべき空気の加熱や加湿を所望の水準に維持するために、親水性膜１２ａが、加熱装置のフラット面１７に置かれる。次に、ここで、第二の膜、すなわち、非透水性かつ水蒸気透過性の膜１２ｂが置かれる。両方の膜は複合材料として作られ、この両方の膜が全体の膜１２を形成する。
【００３１】
呼吸気を加湿するために中に通さなければならない水は、ハウジング１に接続されている給水管１３を通って、開口１０の内部に達する。
【００３２】
図２から導かれるように、水はすでに上述の膜１２ａおよび１２ｂの真下であり、かつ加熱装置のフラット面１７の上の開口に流入することができ、これにより、水の薄層を形成する。加熱装置のフラット面１７は、少なくも横断する水路１４を有してもよく、それは親水性膜１２ａにおける理想的な水の拡散を確実なものにすることを助けることができる。給水管１３を通って供給された水は、次いで、均一かつ一律に、加熱装置のフラット面１７の上に拡散され、このフラット面１７に配置された親水性膜１２ａを浸す。
【００３３】
膜１２ｂは非透水性かつ水蒸気透過性を示すので、所望の水準の水蒸気がこの膜を通して移動することができる。そのような特性を有する膜は公知である。それらの膜は、マイクログラス繊維あるいはポリエステル繊維の支持体に接着された多孔性ＰＴＦＥで作ることができる。同じ特性を有する他の膜を、ここで使用することも可能である。
【００３４】
所望の温度でかつ一定の水準でもたらされる、できる限り多量の湿った空気を維持し、そして、その空気をこの状態で患者に供給するため、前記膜１２ｂを、多孔金属板１４に置く。多孔金属板１４の助けにより、凝縮を減少させたり、あるいは防止することができる。前記板１４は熱交換器として作用し、生成された水蒸気によるだけではなく、この板によっても、循環空気が適正な温度で維持されることを確実にしている。同様の目的を、特別な自己調節性発熱電気抵抗体で、前記金属板１４を置き換えることによっても達成することができる。更に、前記多孔金属板１４は、保護の役割を有しており、膜１２に傷がついたり、穴があいたりするのを防止する効果がある。
【００３５】
金属板１４により行われる熱交換は、双方向性であり、そして、そのフィードバック特性により加熱装置の自己調節機能に影響を及ぼすことができるので、したがって、より大きな空気流の場合でもこの装置はより多量の水を蒸発させる。加熱装置は、Ｐ．Ｔ．Ｃ型の抵抗体であってもよく、装置のハウジングに分離可能に取り付けてもよく、あるいは、別の実施態様においては、前記装置のハウジングに、全体として一体化してもよい。
【００３６】
したがって、本発明は、呼吸気の調和、すなわち、前記呼吸気の、受動的および能動的な加湿および加熱を可能にし、更には、上記呼吸気の任意のろ過を可能にする装置を提供する。前記装置は、一つの材料で作られることが好ましく、取り扱い、取り付け、および取り外しが容易である。その装置はまた、一回の使用に適しており、使い捨てすることもできる。更に、制御下にある装置では、湿った空気の温度を厳密に維持することで、その中での多量の凝縮水の形成を防ぐことができる。
【００３７】
前記装置は、患者に空気を供給したり、戻したりする管にある水蒸気を所望の加熱水準に維持し、かつ湿度水準を確保する際に、明らかに役に立つものであり、これにより、これらのチューブでは最低限の凝縮しか起こらない。
【００３８】
したがって、前記装置は、人工鼻として使用することが可能であり、すべての適用において、空気の加湿、加熱、および任意のろ過に必要とされる。したがって、本発明の前記装置は、呼吸気の処理に適している。装置は、患者に空気を供給したり、あるいは戻したりする呼吸装置に接続することが可能である。更に、前記装置は、空気の監視装置または分析装置と組み合わせて使用することができる。
【００３９】
更に、本発明は、呼吸気の調和方法に関し、本発明の装置を空気の供給源に接続し、そして前記装置に空気を通すステップを含んでいる。また、本発明は、呼吸気の調和方法に関し、本発明の装置の、吸気口を通して未処理の呼吸気を供給するステップ、受動加湿手段を通して前記供給呼吸気を受動的に加湿するステップ、および能動加湿手段を通して前記呼吸気を能動的に加湿するステップを含んでいる。
【図面の簡単な説明】
【００４０】
【図１】図１は、本発明の装置の好ましい実施態様の平面図である。
【図２】図２は、図１の装置の線II―IIに沿った断面図である。
【図１】
2005527304.tif 000003
【図２】
2005527304.tif 000004
【手続補正書】
【提出日】平成16年4月14日(2004.4.14)
【手続補正１】
【補正対象書類名】特許請求の範囲
【補正対象項目名】全文
【補正方法】変更
【補正の内容】
【特許請求の範囲】
【請求項１】
未処理の呼吸気の吸気口と処理済の呼吸気の排気口とを備えたハウジングを含む呼吸気調和装置であって、前記ハウジングは、受動加湿手段および能動加湿手段を含み、前記能動加湿手段は、吸気口と排気口の軸を部分的に遮断し、給水口と、供給された水の加熱装置と、実質的に非透水性かつ水蒸気透過性を有する膜と、熱交換要素とを含み、前記膜が、親水性膜と、水蒸気透過性かつ非透水性の膜とに区分され、前記熱交換要素が、多孔金属板および／または発熱抵抗体を含む群から選択されることを特徴とする呼吸気調和装置。
【請求項２】
前記受動加湿手段が前記吸気口と前記排気口の間に配置されている請求項１に記載の装置。
【請求項３】
前記受動加湿手段が加熱加湿交換器である請求項１または２に記載の装置。
【請求項４】
前記ハウジングが更に細菌フィルタを備える請求項１〜３のいずれか１項に記載の装置。
【請求項５】
前記加熱装置がハウジングに着脱自在に配置されている請求項１〜４のいずれか１項に記載の装置。
【請求項６】
未処理の呼吸気の吸気口と処理済の呼吸気の排気口とを備えたハウジングを含む呼吸気調和装置であって、前記ハウジングは、受動加湿手段および能動加湿手段を含み、前記能動加湿手段は、吸気口と排気口の軸を部分的に遮断し、給水口と、実質的に非透水性かつ水蒸気透過性を有する膜と、熱交換要素とを含み、前記膜が、親水性膜と、水蒸気透過性かつ非透水性の膜とに区分され、前記熱交換要素が、多孔金属板および／または発熱抵抗体を含む群から選択されることを特徴とする請求項５に記載の装置。
【請求項７】
加熱装置と、実質的に非透水性および水蒸気透過性を有する前記膜との間に水の薄層を入れることができるように、前記給水口がハウジングに接続されている請求項１〜６のいずれか１項に記載の装置。
【請求項８】
底部（２）と、周壁（３）と、蓋体（４）とを有し、前記底部（２）は呼吸気の供給用の吸気開口（５）を備え、前記蓋体（４）は処理済の呼吸気のための排気開口（６）を備えるハウジング（１）を含み、
更に、前記吸気口（５）と前記排気口（６）との間の前記ハウジング（１）に配置される受動加湿手段（７）と、
加熱装置、給水口（１３）、並びに、親水性膜（１２ａ）と水蒸気透過性かつ非透水性の膜（１２ｂ）とに区分される実質的に非透水性と水蒸気透過性とを有する膜（１２）、および、多孔金属板（１４）および／または発熱抵抗体を含む群から選択される熱交換要素を含む加熱加湿発生手段を装着する第二開口（１０）と、
を含む請求項１〜７のいずれか１項に記載の装置。
【請求項９】
前記熱交換要素が多孔金属板（１４）である請求項１〜８のいずれか１項に記載の装置。
【請求項１０】
膜（１２ｂ）が、非透水性かつ水蒸気透過性の材料からなり、親水性膜（１２ａ）と金属板（１４）との間に配置される、請求項８または９に記載の装置。
【請求項１１】
前記加熱装置が構成部品（１５）を含み、そのフラット面（１７）が前記膜（１２）に向けられている請求項８〜１０のいずれか１項に記載の装置。
【請求項１２】
前記膜（１２）のうちの一つが、構成部品（１５）のフラット面（１７）に置かれる親水性膜（１２ａ）である請求項１１に記載の装置。
【請求項１３】
前記構成部品（１５）が開口（１０）に装着される請求項１１または１２に記載の装置。
【請求項１４】
構成部品（１５）が、開口（１０）に装着するために密封Ｏリングおよび／または差込継手を有する請求項１１〜１３のいずれか１項に記載の装置。
【請求項１５】
構成部品（１５）がマイクロスイッチ（１６）を有する請求項１１〜１４のいずれか１項に記載の装置。
【請求項１６】
前記吸気および排気開口（５，６）が、管装着用の接続管（５ａ，６ａ）を有する請求項８〜１５のいずれか１項に記載の装置。
【請求項１７】
前記底部（２）が更に吸気口（１８）を有する請求項８〜１６のいずれか１項に記載の装置。
【請求項１８】
前記吸気口（１８）が、ストッパー（１９）によって装着されている請求項１７に記載の装置。
【請求項１９】
前記底部（２）が更に前記ストッパー（１９）の保持装置（２０）を有する請求項１８に記載の装置。
【請求項２０】
前記ハウジング（１）が、前記周壁（３）を囲むグリップリング（８）およびフランジ（９）を有する請求項８〜１９のいずれか１項に記載の装置。
【請求項２１】
人工鼻としての、請求項１〜２０のいずれか１項に記載の装置の使用。
【請求項２２】
呼吸気の調和のための、請求項１〜２０のいずれか１項に記載の装置の使用。
【請求項２３】
呼吸装置における、請求項１〜２０のいずれか１項に記載の装置の使用。
【請求項２４】
請求項１〜２０のいずれか１項に記載の装置を空気の供給源に接続し、空気を前記装置に流すステップを含む呼吸気の調和方法。
【請求項２５】
吸気開口を通して未処理の呼吸気を供給するステップと、受動加湿手段を通して前記供給された呼吸気を受動的に加湿するステップと、請求項１〜２０のいずれか１項に記載の装置の能動加湿手段を通して前記呼吸気を能動的に加湿するステップとを含む呼吸気の調和方法。
【手続補正書】
【提出日】平成17年2月1日(2005.2.1)
【手続補正１】
【補正対象書類名】特許請求の範囲
【補正対象項目名】全文
【補正方法】変更
【補正の内容】
【特許請求の範囲】
【請求項１】
未処理の呼吸気の吸気口と処理済の呼吸気の排気口とを備えたハウジングと、前記吸気口と前記排気口との間の前記ハウジングに配置される前記呼吸気を調和する受動加湿手段とを含む呼吸気調和装置であって、能動加湿手段が、部分的に空気の流れを遮断するように、前記吸気口と前記排気口との間の前記ハウジングに配置され、前記能動加湿手段は、前記能動加湿手段において水の薄層を挿入するためのハウジングに接続される給水口と、供給された水を加熱するための加熱装置と、多孔板および／または発熱抵抗体を含む群から選択され、適正な温度の維持を補償する熱交換要素と、前記熱交換要素に接続され、実質的に非透水性かつ水蒸気透過性を有する膜とを含むことを特徴とする装置。
【請求項２】
前記能動加湿手段が、空気の流れに関して前記熱交換要素と前記膜との位置が垂直であるように、前記ハウジングの中に配置されている請求項１に記載の装置。
【請求項３】
前記受動加湿手段が加熱加湿交換器である請求項１または２に記載の装置。
【請求項４】
前記ハウジングが更に細菌フィルタを備える請求項１〜３のいずれか１項に記載の装置。
【請求項５】
前記加熱装置がハウジングに着脱自在に配置されている請求項１〜４のいずれか１項に記載の装置。
【請求項６】
前記膜（１２）が親水性膜（１２ａ）と水蒸気透過性かつ非透水性の膜（１２ｂ）とからなる複合膜である請求項１〜５のいずれか１項に記載の装置。
【請求項７】
前記給水口が、水の薄層が加熱装置と前記膜（１２）との間に挿入されることができるように、ハウジングに接続されている請求項１〜６のいずれか１項に記載の装置。
【請求項８】
前記熱交換要素が多孔板（１４）である請求項１〜７のいずれか１項に記載の装置。
【請求項９】
非透水性かつ水蒸気透過性の材料からなる膜（１２ｂ）が、親水性膜（１２ａ）と多孔板（１４）との間に配置される請求項８に記載の装置。
【請求項１０】
前記加熱装置が構成部品（１５）を含み、そのフラット面（１７）が前記膜（１２）に向けられている請求項１〜９のいずれか１項に記載の装置。
【請求項１１】
親水性膜（１２ａ）が構成部品（１５）のフラット面（１７）に置かれる請求項１０に記載の装置。
【請求項１２】
前記ハウジング（１）は、周壁（３）に接続し、呼吸気の供給用の吸気開口（５）を備える底部（２）と、周壁（３）に接続し、処理済の呼吸気のための排気開口（６）と加熱装置を装着するための第二開口（１０）を備える蓋体（４）とを含む請求項１〜１１のいずれか１項に記載の装置。
【請求項１３】
構成部品（１５）が開口（１０）に装着される請求項１２に記載の装置。
【請求項１４】
構成部品（１５）が開口（１０）に装着するために密封Ｏリングおよび／または差込継手を有する請求項１２または１３に記載の装置。
【請求項１５】
構成部品（１５）がマイクロスイッチ（１６）を有する請求項１２〜１４のいずれか１項に記載の装置。
【請求項１６】
前記吸気および排気開口（５，６）が、管装着用の接続管（５ａ，６ａ）を有する請求項１〜１５のいずれか１項に記載の装置。
【請求項１７】
前記底部（２）が更に吸気口（１８）を有する請求項１２〜１６のいずれか１項に記載の装置。
【請求項１８】
前記吸気口（１８）が、ストッパー（１９）によって装着されている請求項１７に記載の装置。
【請求項１９】
前記底部（２）が更に前記ストッパー（１９）の保持装置（２０）を有する請求項１８に記載の装置。
【請求項２０】
前記ハウジング（１）が、前記周壁（３）を囲むグリップリング（８）およびフランジ（９）を有する請求項１２〜１９のいずれか１項に記載の装置。
【請求項２１】
人工鼻としての、請求項１〜２０のいずれか１項に記載の装置の使用。
【請求項２２】
呼吸気の調和のための、請求項１〜２０のいずれか１項に記載の装置の使用。
【請求項２３】
呼吸装置における、請求項１〜２０のいずれか１項に記載の装置の使用。
【請求項２４】
請求項１〜２０のいずれか１項に記載の装置を空気の供給源に接続し、空気を前記装置に流すステップを含む呼吸気の調和方法。
【請求項２５】
吸気開口を通して未処理の呼吸気を供給するステップと、受動加湿手段を通して前記供給された呼吸気を受動的に加湿するステップと、請求項１〜２０のいずれか１項に記載の装置の能動加湿手段を通して前記呼吸気を能動的に加湿するステップとを含む呼吸気の調和方法。
【国際調査報告】
2005527304.tif 000005
2005527304.tif 000006
2005527304.tif 000007
2005527304.tif 000008